(57)【要約】【課題】ペットボトルなどに収容される飲料物などの被冷却物を冷却することができる冷却具を提供する。【解決手段】冷却具１は、冷却部１０と、底部２０と、開閉部３０とを備えている。冷却部１０は、ペットボトルＢの側面における全周囲を被覆している。また、冷却部１０は吸収材１１を備えており、吸収材１１に吸収されている水が、気化するために必要な熱をペットボトルＢ内の飲料物から奪うため、ペットボトルＢ内の飲料物が冷却される。【選択図】図２
2012116553.tif 000002
【特許請求の範囲】
【請求項１】
吸水性を有する繊維素材からなる吸水材を備え、
被冷却物の側面を被覆する態様で設けられ、前記吸収材に吸収された水が気化するときに被冷却物の熱を奪うことによって被冷却物を冷却することを特徴とする冷却具。
【請求項２】
前記吸収材の外側に層状に設けられ、速乾性を有する繊維素材からなるカバー部材を備える請求項１に記載の冷却具。
【請求項３】
前記カバー部材は、複数の孔が形成されている請求項２に記載の冷却具。
【請求項４】
前記吸収材の内側に層状に設けられ、熱伝導性の高い繊維素材が編み込まれたインナー部材を備える請求項１から請求項３のいずれかに記載の冷却具。
【請求項５】
前記熱伝導性の高い繊維素材は、被冷却物側に突出する態様で編み込まれている請求項４に記載の冷却具。
【発明の詳細な説明】
【技術分野】
【０００１】
本発明は、ペットボトルなどに収容される飲料物などを冷却する冷却具に関する。
【背景技術】
【０００２】
例えば、飲料物は一般的にペットボトルなどに収容された状態でスーパーやコンビニエンスストアなどで販売されている。従って、消費者はペットボトルなどに収容された状態で飲料物を購入する。
【０００３】
これら飲料物は、購入される直前までスーパーやコンビニエンスストアに設けられた冷蔵庫で保存されているため、消費者は冷えた状態の飲料物を飲むことができる。しかしながら、飲料物は、ペットボトルが購入したままの裸の状態である場合、外気の影響を直接的に受けてすぐに常温になってしまう。
【０００４】
上記のような問題に鑑みて、従来から飲料物の温度を保つための保冷具が知られている。この保冷具について、例えば、下記特許文献１が開示している。特許文献１の保冷具は、飲料物を収容したペットボトルを断熱シートで包むことにより、断熱シート内の温度を維持して、飲料物の温度の変化を低減させている。
【先行技術文献】
【特許文献】
【０００５】
【特許文献１】特開２００３−２６２５８号公報
【発明の概要】
【発明が解決しようとする課題】
【０００６】
しかしながら、特許文献１の保冷具は、予めペットボトル内の飲料物を冷やしておかなければならない。また、この保冷具を使用した場合、ペットボトルが裸の状態である場合と比べると温度の上昇は緩やかになるが、ペットボトル内の飲料物の温度は上昇してしまう。
【０００７】
そこで、本発明は、上記の問題点に鑑み、ペットボトルなどに収容される飲料物などの被冷却物を冷却することができる冷却具を提供することを目的とする。
【課題を解決するための手段】
【０００８】
本発明に係る冷却具は、上記の目的を達成するために、吸水性を有する繊維素材からなる吸水材を備えており、被冷却物の側面を被覆する態様で設けられ、吸収材に吸収された水が気化するときに被冷却物の熱を奪うことによって被冷却物を冷却することを特徴とする。これによれば、吸収材に吸収された水が周りの被冷却物から熱を奪って気化するため、熱を奪われた被冷却物は冷却される。
【０００９】
また、吸収材の外側に層状に設けられ、速乾性を有する繊維素材からなるカバー部材を備えるのが好ましい。これによれば、カバー部材が吸収材の水を吸収してすぐに気化させることにより、吸収材に吸収された水の気化を補助して、水の気化効率を向上させる。さらに、カバー部材はすぐに乾くため、手で持ったときの濡れ感がほとんどない。
【００１０】
また、カバー部材は、複数の孔が形成されているのが好ましい。これによれば、吸収材の水を複数の孔を通じて大気に直接気化させることができる。
【００１１】
また、吸収材の内側に層状に設けられ、熱伝導性の高い繊維素材が編み込まれたインナー部材を備えるのが好ましい。これによれば、被冷却物の熱が吸収材に伝導しやすくなり、被冷却物を効率的に冷却することができる。
【００１２】
また、熱伝導性の高い繊維素材は、被冷却物側に突出する態様で編み込まれているのが好ましい。これによれば、熱伝導性の高い繊維素材のみを被冷却物と積極的に接触させることができる。また、熱伝導性の高い繊維素材の使用量を必要最小限に抑えることができるため、コストダウンも図ることができる。
【発明の効果】
【００１３】
本発明によれば、吸収材が被冷却物の側面を被覆する態様で設けられ、吸収材に吸収された水が気化するときに被冷却物の熱を奪うことによって被冷却物を冷却することができる。従って、水を吸収材に吸収させることのみで、いつでも、簡単に、冷却された被冷却物を飲んだりすることが可能になる。
【図面の簡単な説明】
【００１４】
【図１】第１の実施形態に係る冷却具の使用状態を示す概略斜視図である。
【図２】図１のＩＩ−ＩＩ線断面図である。
【図３】図１のＩＩＩ−ＩＩＩ線断面図である。
【図４】図３の一点鎖線で示した要部ＩＶの拡大図である。
【図５】第２の実施形態に係る冷却具の図２に対応する線断面図である。
【図６】第２の実施形態に係る冷却具のインナー部材の表面を示す拡大斜視図である。
【図７】冷却効果評価試験の結果を示すグラフである。
【発明を実施するための形態】
【００１５】
（第１の実施形態）
次に、本発明に係る冷却具の実施形態について図面を参照しつつ説明する。この実施形態に係る冷却具１は、内容量が５００ｍｌのペットボトルＢに収容される飲料物を冷却するために用いられるものである。冷却具１は、図１に示すように、冷却部１０と、底部２０と、開閉部３０とを備え、有底の円筒形状で形成されており、ペットボトルＢの上部のみを露出させてペットボトルＢを被覆する態様で使用される。
【００１６】
前記冷却部１０は、ペットボトルＢの側面における全周囲を被覆しており、冷却具１の側面部を形成している。冷却部１０は、図２および図３に示すように、３枚の繊維部材が層状に重ねられ、内側（ペットボトルＢ側）からインナー部材１３、吸収材１１およびカバー部材１２から構成される。
【００１７】
前記吸収材１１は、吸水性を有する繊維部材である。吸収材１１の構造としては、例えば、細い繊維素材が絡み合った立体メッシュ構造があげられる。吸水材１１を構成する繊維素材としては、例えば、綿やベルオアシス（登録商標）などがあげられる。このベルオアシスは直径が約３μｍの繊維からなり、高吸水性かつ高吸湿性を有し、自重の約４倍の質量の水を吸水する素材である。その他、吸水材１１の素材としてはセラミックスもあげられる。
【００１８】
この吸水材１１は、水道水などの水に浸されると繊維部材内部に水を吸収して、いわゆる気化熱を利用してペットボトルＢ内の飲料物を冷却する。すなわち、水は気化するときに周りから熱を奪う性質を有しているため、それと同様、吸水材１１に吸水された水が気化するときに周りにあるペットボトルＢ内の飲料物から熱を奪い、奪われた熱の分だけペットボトルＢ内の飲料物が冷却される。
【００１９】
また、吸収材１１は、繊維素材からなることより軽量であるため、携帯性が高い。また、吸収材１１は柔軟性もあるため、任意のペットボトルＢの形状にも対応可能である。なお、吸水材１１に水を多く吸収させればさせる程、水の気化する作用を長時間継続させることができる。
【００２０】
前記カバー部材１２は、吸収材１１の外側に層状に設けられた速乾性を有する繊維部材である。このカバー部材１２の構造としては、速乾性を有するものであれば特に限定されるものではない。また、カバー部材１２の素材としては、ポリエステルやナイロンなどがあげられる。
【００２１】
このカバー部材１２は、内側の吸収材１１に接しており、吸収材１１に吸収されている水の気化を補助するようになっている。すなわち、吸水材１１に吸収されている水はカバー部材１２に移るかのように浸透するが、カバー部材１２が速乾性を有することから、カバー部材１２に浸透した水が速やかに気化することとなる。このため、カバー部材１２は吸水材１１とは異なり、水をほとんど保持することがないため、表面の濡れ感を軽減することができ、冷却具１の使用者は違和感なく把持することができる。
【００２２】
また、カバー部材１２は、全面に亘って複数の貫通孔１２１が形成されている。これにより、吸水材１１に吸水されている水は、カバー部材１２の貫通孔１２１を通じて大気に直接気化することができる。
【００２３】
インナー部材１３は、図２および図３に示すように、吸収材１１の内側に層状に設けられており、カバー部材１２とともに吸収材１１を挟み込んで吸収材１１を支持する。このインナー部材１３は、カバー部材１２と同一の構成を有しており、速乾性を有する繊維で構成されるとともに、複数の貫通孔１３１が形成されている。このようなインナー部材１３においては、自らを介してペットボトルＢの温度を吸収材１１に伝達させるとともに、複数の貫通孔１３１が吸収材１１に吸収されている水にペットボトルＢ内の飲料物の熱を奪いやすくさせている。
【００２４】
上記したような構成を有する冷却部１０において、図４に示すように、吸収材１１に吸収されている水は気化するために、インナー部材１３や貫通孔１３１を介して、ペットボトルＢ内の飲料物の熱を奪う。このことにより、ペットボトルＢ内の飲料物は、気化によって奪われた熱の分だけ冷却される。
【００２５】
前記底部２０は、図２に示すように、冷却部１０の下端部に接続され、ペットボトルＢの底面を被覆し、冷却具１の底面部を形成している。底部２０は、カバー部材１２などと同様の構成を有している。従って、底部２０も速乾性が高く、底部２０においても水の気化が補助され、濡れ感はほとんどない。
【００２６】
前記開閉部３０は、図１に示すように、冷却部１０の上端部に設けられ、折返部３１と、紐部材３２と、紐留具３３とを備えており、ペットボトルＢを出し入れするために冷却具１の上端部の開閉を可能にさせる。折返部３１は、図２に示すように、冷却部１０の上端が内側に折り返されて周方向に中空部３１１が形成されるように縫い留められて形成されている。また、折返部３１は、いずれかの位置において、中空部３１１に通ずる図示略の挿通孔を備えている。
【００２７】
紐部材３２は、図１に示すように、折返部３１の挿通孔から挿入されて中空部３１１を通されて、両端が挿通孔から突出するように設けられている。挿通孔から突出している紐部材３２の両端部はまとめるように結ばれて、紐部材３２が環形状に形成される。この紐部材３２においては、突出している紐部材３２を引っ張り出すことにより、中空部３１１内に存在する分の紐部材３２の長さが短くなって中空部３１１の形成する周が狭まるため、冷却具１の上端部が閉じられる。閉じられた冷却具１の上端部は、手で広げてやることにより、中空部３１１内に存在する分の紐部材３２の長さが長くなって中空部３１１の形成する周が広がるため、冷却具１の上端部が開口される。
【００２８】
紐留具３３は、紐部材３２における挿通孔と紐部材３２の結び目との間に設けられ、紐部材３２上の位置を移動または固定できるように構成されている。この紐留具３３により、挿通孔から引っ張り出された紐部材３２が再度挿通孔に入らないようにすることができる。従って、紐部材３２が引っ張り出されたことにより閉じられた冷却具１の上端部の状態を維持することができる。
【００２９】
次に、冷却具１の使用方法および作用について説明する。まず、開閉部３０の紐留具３３を紐部材３２の端部側に移動させて、手で開閉部３０を開口させる。
【００３０】
開口した開閉部３０からペットボトルＢを入れ、折返部３１の中空部３１１内にある紐部材３２を引っ張り出して紐留具３３を挿通孔の近傍で固定させて、図１に示すように、ペットボトルＢの上部のみを露出させてペットボトルＢを被覆する態様で冷却具１を装着する。
【００３１】
ペットボトルＢに冷却具１を装着させた状態で、冷却部１０の吸収材１１に水を吸収させる。
【００３２】
吸収材１１が水を吸収している状態において、吸収材１１に吸収された水がペットボトルＢ内の飲料物の熱を奪うことにより気化する。また、カバー部材１２および底部２０においても、吸収材１１から浸透した水をすぐに気化させる。気化するために水に熱を奪われたことによって、ペットボトルＢ内の飲料物は冷却されることとなる。
【００３３】
以上より、冷却具１の吸収材１１に水を吸収させることのみにより、吸収材１１に吸収された水が気化するために必要な熱をペットボトルＢ内の飲料物から奪うため、ペットボトルＢ内の飲料物が冷却される。従って、水を吸収材１１に吸収させることのみで、ペットボトルＢ内の飲料物を、いつでも、簡単に冷却することができる。また、冷却具１の表面もすぐに乾くため、手で持っても濡れず、使用者にとっても快適に使用することができる。
【００３４】
なお、この実施形態において、冷却部１０は、ペットボトルＢの側面における全周囲を被覆する態様で設けられている場合について説明したが、部分的に被覆するように設けられてもよい。
【００３５】
また、冷却部１０におけるカバー部材１２とインナー部材１３とは同一の構成を有する場合について説明したが、インナー部材はその他の構成を有していてもよい。
【００３６】
また、底部２０はカバー部材１２と同様である場合について説明したが、その他の構成であってもよい。
【００３７】
また、冷却具１の装着後、吸収材１１に水を吸収させる場合について説明したが、装着前であってもよい。
【００３８】
（第２の実施形態）
次に、冷却具の他の実施形態について説明する。以下の説明において、第１の実施形態と同様の構成については同一の符号を付し、その説明は省略する。
【００３９】
この実施形態に係る冷却具２は、図５に示すように、第１の実施形態における冷却具１と対比すると冷却部におけるインナー部材の構成が相違する。ここにおける冷却部５０は、図６に示すように、インナー部材５３のベースとなるベース部５３１と、ベース部５３１におけるペットボトルＢ側の表面に突出する態様で編み込まれている熱伝導性の高い熱伝導繊維５３２とを備える。
【００４０】
上記したインナー部材５３によれば、熱伝導繊維５３２がペットボトルＢ側の表面に突出する態様で編み込まれていることより、熱伝導繊維５３２のみをペットボトルＢに積極的に接触させることができる。これにより、ペットボトルＢ内の飲料物の熱を吸収材１１にさらに伝導させやすくなり、吸収材１１に吸収されている水がさらに熱を奪いやすくなるため、ペットボトルＢ内の飲料物をより効率的に冷却させることができる。
【００４１】
なお、この実施形態において、熱伝導繊維５３２が突出する態様でベース部５３１の表面に編み込まれている場合について説明したが、熱伝導繊維５３２により層状を形成する一枚の布部材を構成して、ペットボトルＢの表面と略面接触させるようにしてもよい。
【００４２】
なお、第１，第２の実施形態において、冷却具１，２は、ペットボトルＢ内の飲料物を冷却する際に適した形状である場合について説明したが、その他の被冷却物を冷却するに適した他の大きさや形状であってもよい。
【００４３】
以上、図面を参照してこの発明の実施形態を説明したが、本発明は、図示した実施形態のものに限定されない。図示された実施形態に対して、本発明と同一の範囲内において、あるいは均等の範囲内において、種々の修正や変形を加えることが可能である。
【００４４】
（冷却効果評価試験）
次に、上記の実施形態で説明した冷却具１，２の使用における冷却効果の評価試験について説明する。発明者は、上記で説明した冷却具１，２の冷却効果の評価試験として次のような試験を行った。まず、５００ｍｌを収容する同一形状のペットボトルＢを４本用意する。この４本のペットボトルＢに５００ｍｌの水を各々収容し、収容した水をいずれも同一の温度（３０℃）にする。また、各ペットボトルＢに温度センサをそれぞれ取り付け、ペットボトルＢ内の水の温度をそれぞれ計測し得るようにする。各ペットボトルＢに関し、第１のペットボトルＢには第１実施形態の冷却具１が装着され、第２のペットボトルＢには第２実施形態の冷却具２が装着され、第３のペットボトルＢには他社製品（従来技術であげた特許文献１の保冷具）が装着され、第４のペットボトルＢには何も装着しない裸の状態にする。これら４つのペットボトルＢを、同時に同一の環境条件に置いて、各ペットボトルＢ内の水の温度を計測する。ここにおける環境条件とは、気温３０℃、湿度５０％である。
【００４５】
上記の状態にした４つのペットボトルＢにおける「時間の経過」と「時間経過に伴う水の温度」とを記録した結果、下記の表１のようになった。
【表１】
2012116553.tif 000003
【００４６】
表１が示す試験結果をグラフ化すると図７のようになる。図７において、折れ線Ｌ１は冷却具１が装着された第１のペットボトルＢの水温の推移を示し、折れ線Ｌ２は冷却具２が装着された第２のペットボトルＢの水温の推移を示し、折れ線Ｌ３は他社製品が装着された第３のペットボトルＢの水温の推移を示し、折れ線Ｌ４は裸の状態の第４のペットボトルＢの水温の推移を示している。
【００４７】
図７のグラフが示すように、冷却具１，２が装着された第１，第２のペットボトル内の水温は、いずれも約２．５時間で６℃以上も降下している。また、各々は降下した水温のままで保たれていることがわかる。一方、他社製品が装着された第３のペットボトルＢや裸の状態の第４のペットボトルＢ内の水温は、試験開始から略一定あるいは上昇している。なお、第３，第４のペットボトルＢの水温の推移に関しては、試験開始から約１．０時間まで水温が多少降下しているが、試験を行った際の誤差であると考えられる。
【００４８】
以上の結果によれば、冷却具１，２が装着された第１，第２のペットボトルＢには、他社製品が装着されたペットボトルＢや裸の状態のペットボトルＢと比較すると、冷却効果が作用していることがわかる。
【００４９】
また、冷却具１と冷却具２とを比較すると、熱伝導繊維５３２が編み込まれたインナー部材５３を有する冷却具２の方が、冷却効果が高いこともわかる。
【００５０】
従って、冷却具１，２によりペットボトルＢ内の飲料物を冷却させることができ、さらに熱伝導繊維により冷却効果をより向上させることができる。
【符号の説明】
【００５１】
１，２…冷却具
１０，５０…冷却部
１１…吸収材
１２…カバー部材
１２１，１３１…貫通孔
１３，５３…インナー部材
２０…底部
３０…開閉部
３１…折返部
３１１…中空部
５３１…ベース部
５３２…熱伝導繊維
【図１】
2012116553.tif 000004
【図２】
2012116553.tif 000005
【図３】
2012116553.tif 000006
【図４】
2012116553.tif 000007
【図５】
2012116553.tif 000008
【図６】
2012116553.tif 000009
【図７】
2012116553.tif 000010